(57)【要約】【課題】  カーブカーテンレールを突っ張り棒で吊るす金具を提供する。【解決手段】カーブカーテンレール６を突っ張り棒４で吊るす場合、突っ張り棒保持部１に突っ張り棒４を挿入後ネジ５で固定し、カーブカーテンレール６をカーテンレール保持部２にセット後ネジ７で固定し、突っ張り棒保持部１と、カーテンレール保持部（２）とを、連結部で緩みがあり、固定されないように、リベット３をカシメて一体化した、カーブカーテンレール突っ張り棒吊り具。【選択図】図１
2018164721.tif 000002
【特許請求の範囲】
【請求項１】
カーブカーテンレール（６）を突っ張り棒（４）で吊るす吊り具で、突っ張り棒保持部（１）に突っ張り棒（４）を取り付け後、ネジ（５）で固定し、カーブカーテンレール（６）をカーテンレール保持部（２）にセット後、ネジ（７）で固定し、突っ張り棒保持部（１）と、カーテンレール保持部（２）とを、連結部で緩みがあり、固定されないように、リベット（３）をカシメて一体化した、カーブカーテンレール突っ張り棒吊り具。
【発明の詳細な説明】
【技術分野】
【０００１】  本発明は、カーブカーテンレールを突っ張り棒で吊るす金具に関するものである。
【背景技術】
【０００２】  従来、取り付けにネジ、釘を使わない突っ張り式カーテンレールや、突っ張り棒に直にカーテンを吊るすランナー付き突っ張り棒が販売されている。
また、金属製カーブカーテンレール及び樹脂製カーブカーテンレールが出窓用カーテンレール等として販売されている。
【発明の概要】
【発明が解決しようとする課題】
【０００３】これは、次のような問題点があった。
（イ）突っ張り式カーテンレール及び突っ張り棒は直線だけである。
（ロ）カーブカーテンレールは、一方の端面では必ず取り付け壁面と垂直な向きとならな    いため、突っ張り式は成立しなかった。
本発明は、以上のような欠点をなくすためになされたものである。
【課題を解決するための手段】
【０００４】  突っ張り棒保持部（１）とカーブカーテンレール保持部（２）とが連結部において、同じ直径の穴（１１）を介して穴径より少し小さい外径のリベット（３）で結合されている。リベット（３）の胴の長さは、突っ張り棒保持部（１）の肉厚とカーテンレール保持部（２）の肉厚とを加えた厚みより少し長くなるようにカシメられている。
突っ張り棒保持部（１）に突っ張り棒（４）を挿入し、ネジ（５）で固定する。また、カーブカーテンレール（６）をカーテンレール保持部（２）にネジ（７）で固定する。
カーブカーテンレール（６）を吊るすために必要な突っ張り棒（４）の本数は、カーブカーテンレール（６）の両端に各１本は必須である。また、カーテンを下方向に引っ張った場合にカーブカーテンレール（６）がたわみ、カーブカーテンレールの中央部は下方向に下がるので、下方向へのたわみ防止対策として突っ張り棒（４）をカーブカーテンレール（６）の中央部に１本、合計３本の取り付けが必要である。
本発明は、以上の構成によりなるカーブカーテンレール突っ張り棒吊り具である。
【発明の効果】
【０００５】（イ）カーブカーテンレールを突っ張り棒で取り付け可能である。
（ロ）ネジ、釘禁止の賃貸住宅にも取り付け可能である。
（ハ）カーブカーテンレール保持部と突っ張り棒保持部とが連結部で固着されず、手で持    った場合、回転方向に自由に動かすことが出来るため、カーブカーテンレールのどの    位置にこの吊り具を取り付けても、突っ張り棒の向きは同一方向でカーブカーテンレ    ールを吊るすことができる。
【図面の簡単な説明】
【０００６】
【図１】  本発明の断面図である。
【図２】  本発明の斜視図（カーテンレールと１本目の突っ張り棒とは並行）である。
【図３】  本発明の斜視図（カーテンレールと３本目の突っ張り棒とは垂直）である。
【図４】  本発明を廊下に設置した状態図（上から見た図）である。
【図５】  本発明の突っ張り棒保持部を開いた斜視図（ゴム板は取り外した状態）
【図６】  本発明のカーテンレール保持部の斜視図
【発明を実施するための形態】
【０００７】      以下、本発明の実施の形態を説明する。
本発明を廊下の間仕切りカーテンを吊るすのに使用する場合、先ず１本目の突っ張り棒（４）を本発明吊り具に取り付ける。本発明吊り具のネジ（５）を取り外して、突っ張り棒保持部（１）を開いて、１本目の突っ張り棒（４）を中に入れ、突っ張り棒保持部（１）を閉めて、ネジ（５）を閉めて、１本目の突っ張り棒（４）と本発明吊り具とを固定する。次に、カーブカーテンレール（６）を本発明吊り具のネジ（７）を緩めて、カーテンレール保持部（２）にカーブカーテンレール（６）を挟みこみ、ネジ（７）を閉めて、本発明吊り具にカーブカーテンレールを固定する。以上で１本目の突っ張り棒（４）とカーブカーテンレール（６）とを本発明吊り具へ固定することが完了した。次に、２本目の突っ張り棒（４）とカーブカーテンレール（６）とを本発明吊り具に同様に取り付ける。次に、３本目の突っ張り棒（４）とカーブカーテンレール（６）とを本発明吊り具に同様に取り付ける。以上で、３本の突っ張り棒（４）とカーブカーテンレール（６）とが、本発明吊り具により連結された。次に１本目の突っ張り棒（４）を伸ばして、壁面（９）に取り付ける。この場合、本発明吊り具の突っ張り棒保持部（１）とカーテンレール保持部（２）とが、緩んだ状態でリベット（３）により連結されている。すなわち、リベット（３）の直径が、突っ張り棒保持部（１）及びカーテンレール保持部（２）の穴（１１）の内径よりやや細く、またリベット（３）の胴の長さが、突っ張り棒保持部（１）の穴部の肉厚とカーテンレール保持部（２）の穴部の肉厚とを加えた厚さより少し長いため、カーブカーテンレール（６）と１本目の突っ張り棒（４）とが垂直の向きとなる。次に、３本目の突っ張り棒（４）を伸ばして、壁面（９）に取り付ける。この場合、突っ張り棒（４）とカーブカーテンレール（６）とが平行な向きとなる。次に２本目の突っ張り棒（４）を伸ばして、壁面（９）に取り付ける。この場合、突っ張り棒保持部（１）と、カーテンレール保持部（２）とが緩みをもって連結されているため、カーテンレール保持部（２）の向きは、カーブカーテンレール（６）の向きに従って自ずと決まる。以上でカーブカーテンレール（６）を吊るすことが完了した。これにより、直線的に突っ張る突っ張り棒（４）で、カーブカーテンレール（６）を１種類の吊り具で吊るすことが可能となった。カーブカーテンレール（６）の利点は、開けて隅に寄せられたカーテンが壁面と並行な向きに沿うため、廊下が狭くならない。特に、ワンルームマンションの廊下に、エアーキャップ内臓カーテンのようにプリーツ状に折りたためないカーテンを吊るす時は、取り付けにネジ、釘が使用できなく、かつ開けたカーテンが廊下の通行の障害物となるため、開けた時カーテンが壁面と並行な向きに沿うカーブカーテンレール（６）と本発明の吊り具とを合わせて使用することが適当である。
【符号の説明】
【０００８】１  突っ張り棒保持部
２  カーテンレール保持部
３  リベット
４  突っ張り棒
５  ネジ
６  カーブカーテンレール
７  ネジ
８  ゴム板
９  壁面
１０  ヒンジ
１１  リベットを通す穴
【図１】
2018164721.tif 000003
【図２】
2018164721.tif 000004
【図３】
2018164721.tif 000005
【図４】
2018164721.tif 000006
【図５】
2018164721.tif 000007
【図６】
2018164721.tif 000008